(57)【要約】【課題】ホストサーバの負担を増大させることなく、所定の取引処理が必要なカラオケ曲を当該取引処理ができないユーザが歌唱するとともに、当該ユーザの歌唱履歴として記録する。【解決手段】カラオケ装置ＫＲは、ユーザＡ、及び、ユーザＢ、を含む、複数のユーザ毎の利用認証をホストサーバ５００との間で行い、表示部２０３がユーザＡに係わるマイページを表示した状態において、ユーザＡによりポイント減算が承諾された際のカラオケ曲の歌唱情報を付与する対象者として、ユーザＢが指定されたときには、ユーザＢの利用認証を、ホストサーバ５００との間でおこない、ユーザＡのポイント情報がホストサーバ５００において更新された後、ユーザＢの歌唱情報を更新してユーザＢのユーザＩＤとともにホストサーバ５００へ送信する。【選択図】図４
2011248258.tif 000002
【特許請求の範囲】
【請求項１】
ユーザが操作可能な操作部と、所定の表示を行う表示部と、
を有し、
ユーザを特定するユーザ識別情報、ユーザによる予約に応じてカラオケ演奏されたカラオケ曲を特定するユーザ歌唱情報、及び、前記カラオケ曲のカラオケ演奏に伴って生じるユーザとの所定の取引処理を表すユーザ取引履歴情報を含む個人用情報を記憶したホストサーバに対し、ネットワークを介して通信可能に接続された、カラオケ装置であって、
前記操作部の指示によってカラオケ演奏するカラオケ演奏部と、
前記操作部の操作に基づき、第１ユーザ、及び、前記第１ユーザとは異なる第２ユーザ、を含む、複数のユーザ毎の利用認証を前記ホストサーバとの間で行う利用認証手段と、
前記利用認証において、前記ユーザに関する前記個人用情報をホストサーバから受信し、前記第１ユーザに係わる前記個人用情報に基づき、前記表示部が前記第１ユーザに係わる閲覧画面を表示した状態において、前記操作部の操作に応じて、前記第１ユーザによる前記カラオケ曲の予約を受け付ける予約手段と、
前記予約手段で予約されたカラオケ曲が前記カラオケ演奏部でカラオケ演奏された際に、前記第１ユーザの前記所定の取引処理の承諾を前記ホストサーバに対して通知するための承諾通知手段と、
を有し、
前記表示部で前記第１ユーザに係わる前記閲覧画面を表示した状態において、前記カラオケ曲の歌唱情報を付与する対象者として、前記第２ユーザが指定されたときには、前記利用認証手段は、前記第２ユーザの利用認証を、前記ホストサーバとの間で行い、
かつ、前記ホストサーバが記憶した前記第１ユーザの前記ユーザ取引履歴情報が前記承諾通知手段での通知に応じて前記ホストサーバにおいて更新された後、前記ホストサーバより配信された前記第２ユーザの前記個人用情報に含まれる前記第２ユーザの前記ユーザ歌唱情報を更新する歌唱情報更新手段と、
前記歌唱情報更新手段により更新された前記第２ユーザの前記ユーザ歌唱情報を前記第２ユーザの前記ユーザ識別情報とともに前記ホストサーバへ送信するための、ユーザ情報送信手段を設けた
ことを特徴とするカラオケ装置。
【請求項２】
カラオケ演奏を行うカラオケ演奏部、ユーザが操作可能な操作部、及び、所定の表示を行う表示部、を有するカラオケ装置と、前記カラオケ装置に対しネットワークを介して通信可能に接続されたホストサーバと、を有するカラオケネットワークシステムであって、
前記ホストサーバは、
ユーザを特定するユーザ識別情報、ユーザによる予約に応じてカラオケ演奏されたカラオケ曲を特定するユーザ歌唱情報、及び、前記カラオケ曲のカラオケ演奏に伴って生じるユーザとの所定の取引処理を表すユーザ取引履歴情報を含む個人用情報を記憶する、個人用情報記憶手段を有し、
前記カラオケ装置は、
前記操作部の操作に基づき、第１ユーザ、及び、前記第１ユーザとは異なる第２ユーザ、を含む、複数のユーザの利用認証を前記ホストサーバとの間で行う利用認証手段を有し、
前記ホストサーバは、さらに、
前記個人用情報記憶手段に記憶されている個人用情報のうち、前記利用認証がなされている少なくとも１人の前記ユーザに関する個人用情報を、前記カラオケ装置に配信する個人用情報配信手段を有し、
前記カラオケ装置は、さらに
前記ホストサーバの前記個人用情報配信手段により配信された前記第１ユーザに係わる前記個人用情報に基づき、前記表示部が前記第１ユーザに係わる閲覧画面を表示した状態において、前記操作部の操作に応じて、前記第１ユーザによるカラオケ曲の予約を受け付ける予約手段と、
前記予約手段で予約されたカラオケ曲が前記カラオケ演奏部でカラオケ演奏された際に、前記第１ユーザとの所定の取引処理の承諾を前記ホストサーバに対して通知するための承諾通知手段と、
を有し、
前記表示部で前記第１ユーザに係わる前記閲覧画面を表示した状態において、前記カラオケ曲の歌唱情報を付与する対象者としての、前記第２ユーザが指定されたときには、前記利用認証手段は、前記第２ユーザの利用認証を、前記ホストサーバとの間で行い、
前記カラオケ装置は、さらに
１つ以上の前記カラオケ曲を記憶する演奏曲記憶手段と、
前記予約手段が受け付けた前記第１ユーザによるカラオケ曲の前記予約に基づき、前記演奏曲記憶手段からカラオケ曲を読み出してカラオケ演奏するカラオケ演奏部と、
を有し、
前記ホストサーバは、さらに、
前記予約手段が前記第１ユーザより予約を受け付けた前記カラオケ曲の前記カラオケ演奏部での演奏の後、前記承諾通知手段での通知に応じて、前記第１ユーザの前記ユーザ取引履歴情報を更新する取引履歴更新手段と、
前記取引履歴更新手段により更新された前記第１ユーザの前記ユーザ取引履歴情報を前記第１ユーザの前記ユーザ識別情報に関連付けて前記個人用情報記憶手段に記憶させる第１記憶制御手段と、
を有し、
前記カラオケ装置は、さらに、
前記予約手段が前記第１ユーザより予約を受け付けた前記カラオケ曲の前記カラオケ演奏部での演奏に伴い、前記個人用情報配信手段により配信された前記第２ユーザの前記個人用情報に含まれる前記第２ユーザの前記ユーザ歌唱情報を更新する歌唱情報更新手段と、
前記歌唱情報更新手段により更新された前記第２ユーザの前記ユーザ歌唱情報を前記第２ユーザの前記ユーザ識別情報とともに前記ホストサーバへ送信するための、ユーザ情報送信手段と、
を有し、
前記ホストサーバは、さらに、
前記ユーザ情報送信手段から送信された前記第２ユーザの前記ユーザ歌唱情報を前記第２ユーザの前記ユーザ識別情報に関連付けて前記個人用情報記憶手段に記憶させる、第２記憶制御手段を有する
ことを特徴とするカラオケネットワークシステム。
【発明の詳細な説明】
【技術分野】
【０００１】
本発明は、カラオケネットワークシステムに用いられる、ユーザが操作可能なカラオケ装置及びカラオケネットワークシステムに関する。
【背景技術】
【０００２】
従来より、カラオケ装置から自らのＩＤを用いてホストサーバへアクセスして利用認証（いわゆるログイン）し、カラオケ曲を再生可能にするカラオケネットワークシステムが知られている。その際、カラオケ曲の予約時において、自分のＩＤに他人のＩＤをも加えて予約することで、自分のＩＤで予約した曲に他人のＩＤも対応付けて、個別に歌唱履歴を管理する技術が既に提唱されている（例えば、特許文献１参照）。
【先行技術文献】
【特許文献】
【０００３】
【特許文献１】特開２００８−２５０１８６号公報（図３（ａ）、図１１、図７、図１１、段落［００５５］［００５９］〜［００６１］等）
【発明の概要】
【発明が解決しようとする課題】
【０００４】
この種のカラオケネットワークシステムで提供されるカラオケ曲の中には、利用認証したユーザのために提供されるものであって、かつ、ユーザ側のポイント消費や課金等、所定の取引処理が必要な特定のカラオケ曲が存在する。
【０００５】
ところで、カラオケ演奏を楽しむユーザは、全員が上記の取引処理が可能なユーザであるとは限られない。ポイントや金銭の残高の不足等により、上記取引処理ができないユーザがいる場合もある。このユーザは、そのままでは上記の特定のカラオケ曲を歌唱することができない。
【０００６】
これを回避するために、当該ユーザが、上記取引処理が可能な別のユーザに予約を依頼する方法がある。しかしながらこの場合、曲の予約を行ったユーザと実際に歌唱したユーザとが異なり、予約したユーザが歌っていないにもかかわらず、予約したユーザの歌唱履歴として情報が蓄積されてしまう。
【０００７】
一方、前述の問題を回避する別の手法として、上記取引処理が可能な別のユーザが自らの意志で上記取引処理ができないユーザへポイントや金銭残高を譲渡する方法もある。しかしながらこの場合、カラオケネットワークシステムのホストサーバで、ユーザ間での金銭残高やポイントのやり取りが必要になる。この場合、ユーザの許諾確認などセキュリティ度の高い通信が必要になるため、ホストサーバの負担が大きくなる。
【０００８】
本発明の目的は、ホストサーバの負担を増大させることなく、所定の取引処理が必要なカラオケ曲を当該取引処理ができないユーザが歌唱するとともに、当該ユーザの歌唱履歴として記録することができる、カラオケ装置及びカラオケネットワークシステムを提供することにある。
【課題を解決するための手段】
【０００９】
上記目的を達成するために、本願第１発明は、ユーザが操作可能な操作部と、所定の表示を行う表示部と、を有し、ユーザを特定するユーザ識別情報、ユーザによる予約に応じてカラオケ演奏されたカラオケ曲を特定するユーザ歌唱情報、及び、前記カラオケ曲のカラオケ演奏に伴って生じるユーザとの所定の取引処理を表すユーザ取引履歴情報を含む個人用情報を記憶したホストサーバに対し、ネットワークを介して通信可能に接続された、カラオケ装置であって、前記操作部の指示によってカラオケ演奏するカラオケ演奏部と、前記操作部の操作に基づき、第１ユーザ、及び、前記第１ユーザとは異なる第２ユーザ、を含む、複数のユーザ毎の利用認証を前記ホストサーバとの間で行う利用認証手段と、前記利用認証において、前記ユーザに関する前記個人用情報をホストサーバから受信し、前記第１ユーザに係わる前記個人用情報に基づき、前記表示部が前記第１ユーザに係わる閲覧画面を表示した状態において、前記操作部の操作に応じて、前記第１ユーザによる前記カラオケ曲の予約を受け付ける予約手段と、前記予約手段で予約されたカラオケ曲が前記カラオケ演奏部でカラオケ演奏された際に、前記第１ユーザの前記所定の取引処理の承諾を前記ホストサーバに対して通知するための承諾通知手段と、を有し、前記表示部で前記第１ユーザに係わる前記閲覧画面を表示した状態において、前記カラオケ曲の歌唱情報を付与する対象者として、前記第２ユーザが指定されたときには、前記利用認証手段は、前記第２ユーザの利用認証を、前記ホストサーバとの間で行い、かつ、前記ホストサーバが記憶した前記第１ユーザの前記ユーザ取引履歴情報が前記承諾通知手段での通知に応じて前記ホストサーバにおいて更新された後、前記ホストサーバより配信された前記第２ユーザの前記個人用情報に含まれる前記第２ユーザの前記ユーザ歌唱情報を更新する歌唱情報更新手段と、前記歌唱情報更新手段により更新された前記第２ユーザの前記ユーザ歌唱情報を前記第２ユーザの前記ユーザ識別情報とともに前記ホストサーバへ送信するための、ユーザ情報送信手段を設けたことを特徴とする。
【００１０】
本願第１発明においては、表示部に第１ユーザに係わる閲覧画面（いわゆる第１ユーザのマイページ）を表示した状態で、第１ユーザが操作部を適宜に操作することにより、予約手段によってカラオケ曲の予約が受け付けられる。このとき、第１ユーザが操作部を適宜に操作することにより、当該カラオケ曲のカラオケ演奏に際して生じる第１ユーザとの所定の取引処理の承諾を、ホストサーバに対して通知する。そして、当該カラオケ曲の歌唱情報を付与する対象者として第２ユーザを指定すると、当該第２ユーザの利用認証が行われ、当該カラオケ曲の歌唱情報の付与が許可される。なお、この利用認証の際、表示部が、一時的に第１ユーザに係わる閲覧画面から第２ユーザに係わる閲覧画面に切り替えて表示するようにしてもよい。
【００１１】
その後、カラオケ演奏部により当該カラオケ曲が演奏される。その演奏に伴い、承諾通知手段は第１ユーザとの所定の取引処理の承諾をホストサーバに通知する。そしてホストサーバでは、予め記憶された第１ユーザの個人用情報に含まれる第１ユーザのユーザ取引履歴情報が更新される。その後、歌唱情報更新手段によって、ホストサーバから配信された第２ユーザの個人用情報に含まれる第２ユーザのユーザ歌唱情報が更新され、ユーザ情報送信手段によって、第２ユーザのユーザ識別情報とともにホストサーバへ送信される。
【００１２】
これにより、ホストサーバは、上記のように自ら更新したユーザ取引履歴情報を第１ユーザのユーザ識別情報に関連付ける形で記憶するとともに、上記のようにして更新されて送信された第２ユーザのユーザ歌唱情報を第２ユーザのユーザ識別情報に関連付ける形で記憶することができる。これにより、第１ユーザが予約したカラオケ曲の演奏に伴う、第１ユーザのユーザ取引履歴情報の更新と、第２ユーザのユーザ歌唱情報の更新とを、実行可能となる。
【００１３】
以上のようにして、本願第１発明においては、第１ユーザのユーザ取引履歴情報を用いて、第２ユーザの歌唱情報を用いたカラオケ曲を演奏させるとともに、そのカラオケ曲についての歌唱情報を第２ユーザの新たな歌唱情報へ反映して付与することができる。この結果、何らかの事情により第２ユーザが自己のユーザ取引履歴情報を使用できない場合であっても、代わりに第１ユーザの同意を得て第１ユーザのユーザ取引履歴情報を用いることで、当該カラオケ曲の歌唱を楽しむことができ、しかもその歌唱に伴う歌唱情報を、第２ユーザ自らに対して記録することができる。これにより、第２ユーザが楽しめるカラオケ曲の幅が拡がるので、第１ユーザ及び第２ユーザへのサービス性を向上することができる。その際、第１ユーザの閲覧画面を表示した状態で第２ユーザの利用認証を行うことにより、他のユーザによる無断なりすまし行為を確実に防止できる。また、複数のユーザどうしでお互いのユーザ取引履歴情報の一部を移動処理したり交換処理する場合のような、高度なセキュリティ確保を必要としないので、ホストサーバの負担を大きく増大させることがない。
【００１４】
さらに、このように１人のユーザが他のユーザの承認を得ることで他のユーザのユーザ取引履歴情報を利用可能とすることにより、システム全体におけるユーザ取引履歴情報の活用が活発化するので、全ユーザによるサービス利用の活性化を促すこともできる。
【００１５】
上記目的を達成するために、本願第２発明は、カラオケ演奏を行うカラオケ演奏部、ユーザが操作可能な操作部、及び、所定の表示を行う表示部、を有するカラオケ装置と、前記カラオケ装置に対しネットワークを介して通信可能に接続されたホストサーバと、を有するカラオケネットワークシステムであって、前記ホストサーバは、ユーザを特定するユーザ識別情報、ユーザによる予約に応じてカラオケ演奏されたカラオケ曲を特定するユーザ歌唱情報、及び、前記カラオケ曲のカラオケ演奏に伴って生じるユーザとの所定の取引処理を表すユーザ取引履歴情報を含む個人用情報を記憶する、個人用情報記憶手段を有し、前記カラオケ装置は、前記操作部の操作に基づき、第１ユーザ、及び、前記第１ユーザとは異なる第２ユーザ、を含む、複数のユーザの利用認証を前記ホストサーバとの間で行う利用認証手段を有し、前記ホストサーバは、さらに、前記個人用情報記憶手段に記憶されている個人用情報のうち、前記利用認証がなされている少なくとも１人の前記ユーザに関する個人用情報を、前記カラオケ装置に配信する個人用情報配信手段を有し、前記カラオケ装置は、さらに前記ホストサーバの前記個人用情報配信手段により配信された前記第１ユーザに係わる前記個人用情報に基づき、前記表示部が前記第１ユーザに係わる閲覧画面を表示した状態において、前記操作部の操作に応じて、前記第１ユーザによるカラオケ曲の予約を受け付ける予約手段と、前記予約手段で予約されたカラオケ曲が前記カラオケ演奏部でカラオケ演奏された際に、前記第１ユーザとの所定の取引処理の承諾を前記ホストサーバに対して通知するための承諾通知手段と、を有し、前記表示部で前記第１ユーザに係わる前記閲覧画面を表示した状態において、前記カラオケ曲の歌唱情報を付与する対象者としての、前記第２ユーザが指定されたときには、前記利用認証手段は、前記第２ユーザの利用認証を、前記ホストサーバとの間で行い、前記カラオケ装置は、さらに１つ以上の前記カラオケ曲を記憶する演奏曲記憶手段と、前記予約手段が受け付けた前記第１ユーザによるカラオケ曲の前記予約に基づき、前記演奏曲記憶手段からカラオケ曲を読み出してカラオケ演奏するカラオケ演奏部と、を有し、前記ホストサーバは、さらに、前記予約手段が前記第１ユーザより予約を受け付けた前記カラオケ曲の前記カラオケ演奏部での演奏の後、前記承諾通知手段での通知に応じて、前記第１ユーザの前記ユーザ取引履歴情報を更新する取引履歴更新手段と、前記取引履歴更新手段により更新された前記第１ユーザの前記ユーザ取引履歴情報を前記第１ユーザの前記ユーザ識別情報に関連付けて前記個人用情報記憶手段に記憶させる第１記憶制御手段と、を有し、前記カラオケ装置は、さらに、前記予約手段が前記第１ユーザより予約を受け付けた前記カラオケ曲の前記カラオケ演奏部での演奏に伴い、前記個人用情報配信手段により配信された前記第２ユーザの前記個人用情報に含まれる前記第２ユーザの前記ユーザ歌唱情報を更新する歌唱情報更新手段と、前記歌唱情報更新手段により更新された前記第２ユーザの前記ユーザ歌唱情報を前記第２ユーザの前記ユーザ識別情報とともに前記ホストサーバへ送信するための、ユーザ情報送信手段と、を有し、前記ホストサーバは、さらに、前記ユーザ情報送信手段から送信された前記第２ユーザの前記ユーザ歌唱情報を前記第２ユーザの前記ユーザ識別情報に関連付けて前記個人用情報記憶手段に記憶させる、第２記憶制御手段を有することを特徴とする。
【００１６】
本願第２発明のカラオケネットワークシステムは、カラオケ装置と、ホストサーバとを備えている。ホストサーバの個人用情報記憶手段には、ユーザ識別情報と、ユーザ歌唱情報と、ユーザ取引履歴情報とが、記憶されている。
【００１７】
カラオケサービスの利用時には、カラオケ装置の操作部が操作されることにより、利用認証手段とホストサーバとの間で、第１ユーザ及び第２ユーザを含む複数のユーザの利用認証（いわゆるログイン）が行われて、複数のユーザによるシステムの利用が許可される。また、利用認証がなされたユーザに関する個人用情報が、ホストサーバの個人用情報配信手段からカラオケ装置へ配信される。
【００１８】
ここで、上記のようにして利用認証を済ませた第１ユーザ及び第２ユーザのうち、第１ユーザが、自己のユーザ取引履歴情報を用いてカラオケ曲を演奏させ、そのカラオケ曲についての歌唱情報を第２ユーザへ付与したいと意図する場合がある。このような場合には、まず、カラオケ装置の表示部に第１ユーザに係わる閲覧画面（いわゆる第１ユーザのマイページ）を表示した状態で、第１ユーザが操作部を適宜に操作することにより、予約手段が、第１ユーザによるカラオケ曲の予約を受け付ける。このとき、第１ユーザが操作部を適宜に操作することにより、カラオケ曲のカラオケ演奏に際して生じる第１ユーザとの所定の取引処理の承諾をホストサーバに対して通知する。そして、カラオケ装置において、当該カラオケ曲の歌唱情報を付与する対象者として第２ユーザを指定すると、利用認証手段とホストサーバとの間で第２ユーザの利用認証が行われ、当該カラオケ曲の歌唱情報の付与が許可される。なお、この利用認証の際、カラオケ装置の表示部が、一時的に第１ユーザに係わる閲覧画面から第２ユーザに係わる閲覧画面に切り替えて表示するようにしてもよい。
【００１９】
その後、カラオケ装置のカラオケ演奏部により当該演奏曲が演奏される。その演奏に伴い、カラオケ装置の承諾通知手段が第１ユーザとの所定の取引処理の承諾をホストサーバに通知する。そして、ホストサーバの取引履歴更新手段により第１ユーザの個人用情報に含まれる第１ユーザのユーザ取引履歴情報が更新される。またこのとき、ホストサーバから配信された第２ユーザの個人用情報に含まれる第２ユーザのユーザ歌唱情報は、カラオケ装置の歌唱情報更新手段により更新され、ユーザ情報送信手段によって、第２ユーザのユーザ識別情報とともにホストサーバへ送信される。
【００２０】
上記のようにしてホストサーバの取引履歴更新手段により更新された第１ユーザのユーザ取引履歴情報は、ホストサーバの第１記憶制御手段の制御により、第１ユーザのユーザ識別情報に関連付ける形でホストサーバの個人用情報記憶手段に記憶される。またこのとき、上記のようにしてカラオケ装置の歌唱情報更新手段により更新されて送信されてきた第２ユーザのユーザ歌唱情報は、ホストサーバの第２記憶制御手段の制御により、第２ユーザのユーザ識別情報に関連付ける形でホストサーバの個人用情報記憶手段に記憶される。これにより、第１ユーザが予約したカラオケ曲の演奏に伴う、第１ユーザのユーザ取引履歴情報の更新と、第２ユーザのユーザ歌唱情報の更新とが、完了する。
【００２１】
以上のようにして、本願第２発明においては、第１ユーザのユーザ取引履歴情報を用いて、第２ユーザの歌唱情報を用いたカラオケ曲を演奏させるとともに、そのカラオケ曲についての歌唱情報を第２ユーザの新たな歌唱情報へ反映して付与することができる。この結果、何らかの事情により第２ユーザが自己のユーザ取引履歴情報を使用できない場合であっても、代わりに第１ユーザの同意を得て第１ユーザのユーザ取引履歴情報を用いることで、当該カラオケ曲の歌唱を楽しむことができ、しかもその歌唱に伴う歌唱情報を、第２ユーザ自らに対して記録することができる。これにより、第２ユーザが楽しめるカラオケ曲の幅が拡がるので、第１ユーザ及び第２ユーザへのサービス性を向上することができる。その際、第１ユーザの閲覧画面を表示した状態で第２ユーザの利用認証を行うことにより、他のユーザによる無断なりすまし行為を確実に防止できる。また、複数のユーザどうしでお互いのユーザ取引履歴情報の一部を移動処理したり交換処理する場合のような、高度なセキュリティ確保を必要としないので、ホストサーバの負担を大きく増大させることがない。
【００２２】
さらに、このように１人のユーザが他のユーザの承認を得ることで他のユーザのユーザ取引履歴情報を利用可能とすることにより、システム全体におけるユーザ取引履歴情報の活用が活発化するので、全ユーザによるサービス利用の活性化を促すこともできる。
【発明の効果】
【００２３】
本発明によれば、所定の取引処理が必要なカラオケ曲を、当該取引処理ができないユーザであっても歌唱することができ、かつ、当該ユーザの歌唱履歴として記録することができる。またその際に、ホストサーバの負担を増大させることがない。
【図面の簡単な説明】
【００２４】
【図１】本発明の一実施形態のカラオケ装置を備えたカラオケネットワークシステムの全体構成を表す機能ブロック図である。
【図２】歌唱情報データベースの記憶内容の一例を表すテーブルである。
【図３】ポイント情報データベースの記憶内容の一例を表すテーブルである。
【図４】リモコン、カラオケ演奏部、歌唱情報管理サーバ、及びポイント情報管理サーバが実行する制御手順を表すシーケンス図である。
【図５】リモコンの表示部に表示される選曲画面の例を表す図である。
【図６】リモコンの表示部に表示される課金額承諾画面の例を表す図である。
【図７】リモコンの表示部に表示される歌唱者選択画面の例を表す図である。
【図８】リモコンの表示部に表示されるユーザ認証画面の例を表す図である。
【図９】リモコンの表示部に表示される選曲画面の例を表す図である。
【図１０】ポイント情報データベースの記憶内容の一例を表すテーブルである。
【図１１】歌唱情報データベースの記憶内容の一例を表すテーブルである。
【発明を実施するための形態】
【００２５】
以下、本発明の一実施の形態を図面を参照しつつ説明する。
【００２６】
図１を用いて、本実施形態のカラオケ装置を備えたカラオケネットワークシステムの全体構成を説明する。
【００２７】
図１において、カラオケネットワークシステム１は、カラオケ演奏部１００及びリモコン２００を備えたカラオケ装置ＫＲと、ホストサーバ５００とを有している。ホストサーバ５００は、主としてユーザの歌唱履歴等の歌唱情報を管理するための歌唱情報管理サーバ３００と、ユーザが保有するポイント残高等のポイント情報を管理するためのポイント情報管理サーバ４００と、を備えている。
【００２８】
カラオケ演奏部１００とリモコン２００とは、例えばＬｏｃａｌ  Ａｒｅａ  Ｎｅｔｗｏｒｋ（ＬＡＮ）等の無線又は有線のネットワークＮＷ１を介し、互いに情報送受信可能に接続されている。また、カラオケ演奏部１００及びリモコン２００と、歌唱情報管理サーバ３００及びポイント情報管理サーバ４００とは、上記ネットワークＮＷ１と、適宜のネットワークＮＷ２とを介し、互いに情報送受信可能に接続されている。
【００２９】
カラオケ演奏部１００は、制御部１０１と、再生部１０２と、表示部１０３と、音声出力部１０４と、操作部１０５と、通信制御部１０６と、大容量記憶装置１０７と備えている。
【００３０】
大容量記憶装置１０７は、演奏曲記憶手段としての、例えばＨａｒｄ  Ｄｉｓｋ  Ｄｒｉｖｅ（ＨＤＤ）から構成される。この大容量記憶装置１０７には、複数の演奏曲データ等が記憶されている。なお、演奏曲データには、楽曲データであるＭｕｓｉｃａｌ  Ｉｎｓｔｒｕｍｅｎｔ  Ｄｉｇｉｔａｌ  Ｉｎｔｅｒｆａｃｅ（ＭＩＤＩ；登録商標）データ、及び、映像データ等が含まれる。
【００３１】
再生部１０２は、上記大容量記憶装置１０７に記憶された演奏曲データを用いてカラオケ曲を再生する。音声出力部１０４は、例えばアンプやスピーカなどから構成される。この音声出力部１０４は、上記再生部１０２によって再生されたカラオケ曲に係わる音声、及び、図示しないマイクより入力された歌唱音声等を出力する。
【００３２】
表示部１０３は、例えば液晶ディスプレイなどから構成される。この表示部１０３は、上記再生部１０２によって再生されたカラオケ曲に係わる動画、テロップ、及び静止画等の映像を表示する。
【００３３】
操作部１０５は、複数のキーやスイッチなどから構成される。通信制御部１０６は、リモコン２００や歌唱情報管理サーバ３００及びポイント情報管理サーバ４００との間で、上記ネットワークＮＷ１,ＮＷ２を介し行われる情報通信の制御を行う。制御部１０１は、カラオケ演奏部１００全体の制御を行う。
【００３４】
リモコン２００は、ユーザが、カラオケ曲の選曲や予約等の各種操作を行うための操作端末である。このリモコン２００は、制御部２０１と、表示部２０３と、操作部２０５と、通信制御部２０６と、記憶装置２０７とを備えている。
【００３５】
通信制御部２０６は、カラオケ演奏部１００や歌唱情報管理サーバ３００及びポイント情報管理サーバ４００との間で、上記ネットワークＮＷ１,ＮＷ２を介し行われる情報通信の制御を行う。
【００３６】
記憶装置２０７は、例えば不揮発性メモリなどから構成され、各種情報を記憶する。この記憶装置２０７には、各ユーザが利用認証（いわゆるログイン）した後に歌唱情報管理サーバ３００から取得された、各ユーザのマイページに含まれる各種情報、すなわち、歌唱情報等を記憶することができる。
【００３７】
表示部２０３は、例えば液晶ディスプレイなどから構成され、各種表示を行う。操作部２０５は、複数のキーやスイッチなどから構成される。ユーザは、例えば表示部２０３において初期画面を表示した状態で上記操作部２０５を適宜に操作して自らの利用を認証させることにより、各ユーザ毎のマイページを表示させることができる（後述）。上記マイページには、当該ユーザの歌唱履歴等の歌唱情報等が含まれている。
【００３８】
制御部２０１は、図示しないＣＰＵ及びＲＡＭ、ＲＯＭ等のメモリを備えている。この制御部２０１は、ＲＡＭの一時記憶機能を利用しつつ、ＲＯＭや上記記憶装置２０７に予め記憶された各種プログラムを実行する。これにより、リモコン２００全体の制御を行う。また、上記のように利用認証した状態でユーザがカラオケ曲の歌唱を行うと、制御部２０１は、前述のようにして取得されマイページに表示されている歌唱履歴に対し、当該歌唱したカラオケ曲を追加する処理を行う。
【００３９】
歌唱情報管理サーバ３００は、制御部３０１と、通信制御部３０２と、大容量記憶装置３０３とを備えている。
【００４０】
通信制御部３０２は、カラオケ演奏部１００やリモコン２００との間で、上記ネットワークＮＷ２,ＮＷ１を介し行われる情報通信の制御を行う。
【００４１】
大容量記憶装置３０３は、例えばＨＤＤなどから構成される。この大容量記憶装置３０３には、歌唱情報データベース３５０（後述の図２参照）が記憶されている。また、制御部３０１は、歌唱情報管理サーバ３００全体の制御を行う。
【００４２】
ポイント情報管理サーバ４００、上記歌唱情報管理サーバ３００と同様、取得制御部４０１と、通信制御部４０２と、大容量記憶装置４０３とを備えている。
【００４３】
通信制御部４０２は、カラオケ演奏部１００やリモコン２００との間で、上記ネットワークＮＷ２,ＮＷ１を介し行われる情報通信の制御を行う。
【００４４】
大容量記憶装置４０３は、例えばＨＤＤなどから構成される。この大容量記憶装置４０３には、ポイント情報データベース４５０（後述の図３参照）が記憶されている。また、制御部４０１は、歌唱情報管理サーバ３００全体の制御を行う。なお、制御部４０１は、再生に際しポイントの消費を伴う有料コンテンツについての、ポイント減算処理も行うことができる（詳細は後述）
【００４５】
図２に、上記歌唱情報データベース３５０の記憶内容の一例を示す。図２に示すように、歌唱情報データベース３５０には、複数のユーザに係わる、各ユーザを特定するユーザ識別情報であるユーザＩＤと、各ユーザのカラオケ曲の選曲操作に基づく各ユーザの歌唱情報とが記憶されている。
【００４６】
歌唱情報は、少なくとも、リモコン２００の制御部２０１より送信された、上記選曲したカラオケ曲の楽曲ＩＤと、選曲されたカラオケ曲が上記再生部１０２により再生され、当該ユーザが歌唱した歌唱日時とを、備えている。なお、これら楽曲ＩＤや歌唱日時の他に、歌唱情報として、ユーザが各楽曲を歌唱したときの採点結果の履歴を表す採点履歴情報やその他の歌唱や楽曲に関する関連情報等を併せて記憶するようにしてもよい。
【００４７】
図３に、上記ポイント情報データベース４５０の記憶内容の一例を示す。図３に示すように、ポイント情報データベース４５０には、複数のユーザに係わる、上記ユーザ識別情報であるユーザＩＤと、各ユーザのポイント情報とが記憶されている。
【００４８】
ポイント情報は、各請求項記載のユーザ取引履歴情報を構成するものであり、少なくとも、各ユーザ毎のポイント残高と、当該ポイント残高になったポイントの最終更新日時とを、備えている。
【００４９】
ここで、上記ポイントについて説明する。本実施形態においては、カラオケ演奏部１００の大容量記憶装置１０７に記憶された演奏曲データの中には、予めユーザ側の金銭的な負担すなわち課金を必要とする、いわゆる有料コンテンツが含まれている。このような演奏曲データを再生して歌唱したいと思うユーザは、予め、例えば現金支払、クレジットカード決済、電子マネー決済、プリペードカード購入等の金銭的決済を行うことで自らのポイントを蓄積し保有しておく。これにより、当該ユーザがリモコン２００を用いて上記有料コンテンツを選曲し再生したとき、演奏中の所定の段階（後述）で、ポイント情報管理サーバ４００の制御部４０１によって、当該保有しているポイントから上記有料コンテンツのためのポイント数（例えば１０ポイント）が消費され、減算処理されるのである。なお、ポイント情報として、上記ポイント残高や最終更新日時の他に、ポイントを消費した全履歴等の他の情報等を併せて記憶するようにしてもよい。
【００５０】
なお、上記歌唱情報管理サーバ３００の歌唱情報データベース３５０に記憶された上記歌唱情報と、上記ポイント情報管理サーバ４００のポイント情報データベース４５０に記憶されたポイント情報とが、各請求項記載の個人情報を構成する。また、上記歌唱情報データベース３５０及びポイント情報データベース４５０が、個人用情報記憶手段を構成する。
【００５１】
以上のような基本構成において、本実施形態の最大の特徴は、ポイントを保有しない（ポイント残高が０である）ユーザであっても上記有料コンテンツを歌唱可能とし、かつその歌唱履歴を当該ユーザの歌唱情報として記録できるようにしたことにある。以下、その詳細を順を追って説明する。
【００５２】
図４は、上記の機能を実行するために、リモコン２００、カラオケ演奏部１００、歌唱情報管理サーバ３００、及びポイント情報管理サーバ４００が実行する制御手順を表すシーケンス図である。以下、前述のポイントを保有するユーザ（各請求項記載の第１ユーザ）を「ユーザＡ」、ポイントを保有しないユーザ（各請求項記載の第２ユーザ）を「ユーザＢ」と称し、ユーザＢがユーザＡの保有するポイントを利用しつつ上記有料コンテンツを歌唱する場合を例にとり、図４を参照して説明を行う。
【００５３】
図４において、まず、前提として、ユーザＡ及びユーザＢの両方が、リモコン２００を用いてそれぞれの利用認証（ログイン）操作を行う。
【００５４】
すなわち、ユーザＡがリモコン２００の操作部２０５を用いて認証操作を行うことで、リモコン２００が、ステップＳＲ１０Ａにおいて、ユーザＡのユーザＩＤ（例えば１）及び認証パスワードの入力を受け付ける。この入力は、リモコン２００の表示部２０３に適宜のアルファベットキーや仮名文字キー等を表示させて操作入力するようにしてもよい。あるいは、リモコン２００に別途設けたＩＣリーダを用いて、ユーザＡの所有するＩＣカードや無線タグから無線通信により情報を取得し直接読み取るようにしてもよい。このユーザＡの認証操作により、認証要求がネットワークＮＷ１，ＮＷ２を介し歌唱情報管理サーバ３００へ送られる。
【００５５】
歌唱情報管理サーバ３００は、ステップＳＳ１０Ａにおいて、上記認証要求に含まれるユーザＩＤ及びパスワードが、例えば、予め記憶されたユーザ管理情報に含まれるユーザＩＤ及びパスワードの内容と合致するかどうかを認証する。このユーザ管理情報は、歌唱情報管理サーバ３００の適宜の箇所、例えば大容量記憶装置３０３に設けたユーザ管理データベース等に記憶されている。なお、上記ユーザ管理情報をカラオケ演奏部１００で取得しておき、リモコン２００からの認証要求を受けてカラオケ演奏部１００の制御部１０１が上記認証を行うようにしてもよい。上記認証要求に含まれるユーザＩＤ及びパスワードが、予め登録されものと合致したらステップＳＳ１０Ａの判定が満たされ、歌唱情報管理サーバ３００が大容量記憶装置３０３の上記歌唱情報データベース３５０に含まれるユーザＡの上記歌唱情報を読み出し、ネットワークＮＷ２，ＮＷ１を介してリモコン２００へ送信する。先の図２に示した例では、ユーザＩＤが１であるユーザＡの歌唱情報には、例えば２０１０年３月１日１２：３０における楽曲ＩＤ７８５のカラオケ曲の歌唱履歴と、２０１０年３月１日１２：５２における楽曲ＩＤ６８４１のカラオケ曲の歌唱履歴とが含まれることになる。
【００５６】
上記同様、例えばユーザＢが認証操作を行うことで、リモコン２００がステップＳＲ１０ＢにおいてユーザＢのユーザＩＤ（例えば２）及び認証パスワードの入力を受け付ける。歌唱情報管理サーバ４００がステップＳＳ１０Ｂにおいて、ユーザＩＤ及びパスワードが合致するかどうかを認証する。合致したらステップＳＳ１０Ｂの判定が満たされ、歌唱情報管理サーバ３００が上記歌唱情報データベース３５０に含まれるユーザＢの上記歌唱情報を読み出し、ネットワークＮＷ２，ＮＷ１を介してリモコン２００へ送信する。先の図２に示した例では、ユーザＩＤが２であるユーザＢの歌唱情報には、例えば２０１０年３月１日１２：３６における楽曲ＩＤ１５０９のカラオケ曲の歌唱履歴と、２０１０年３月１日１２：４５における楽曲ＩＤ１６１のカラオケ曲の歌唱履歴とが含まれることになる。
【００５７】
なお、上記歌唱情報管理サーバ３００による歌唱情報の送信が、各請求項記載の個人用情報配信手段として機能する。
【００５８】
以上のようにして、ユーザＡ，Ｂの両方が既に利用認証（ログイン）した状態において、例えば上記のような有料コンテンツのカラオケ曲（以下適宜、単に有料カラオケ曲という）の歌唱を希望するユーザＢがユーザＡに依頼することで、まず、ユーザＡがリモコン２００の操作部２０５を操作して適宜の画面切替操作を行う。これにより、リモコン２００は、既に上記ステップＳＳ１０Ａの後に上記のようにして受信済みのユーザＡの歌唱情報に基づき、ステップＳＲ２０において、表示部２０３に、ユーザＡの歌唱履歴を含む閲覧画面、すなわちユーザＡのマイページを表示する。ユーザＡは、このように表示された自分のマイページにおいて、適宜に操作部２０５を操作することによって表示部２０３の表示を選曲画面へ移行させる。
【００５９】
図５は、このようにして表示部２０３に表示された選曲画面Ｇ１を表している。図示のように、この選曲画面Ｇ１では、複数の楽曲（この例では楽曲１、楽曲２、楽曲３の３つ）を表すボタンＢＴ１１〜１３が表示されている。ユーザＡは、上記ユーザＢが歌唱を希望する有料カラオケ曲に対応した、選曲画面Ｇ１のボタンＢＴ１１〜１３のいずれかを操作することで、当該有料カラオケ曲を選曲する。リモコン２００は、ステップＳＲ３０において、ユーザＡの上記選曲予約を受け付け、対応する予約信号をネットワークＮＷ１を介してカラオケ演奏部１００へ送信する。このステップＳＲ３０が、各請求項記載の予約手段として機能する。
【００６０】
カラオケ演奏部１００は、ステップＳＫ１０において、上記送信された予約信号を受信し、対応する予約受信通知をネットワークＮＷ２を介してポイント情報管理サーバ４００へ送信する。
【００６１】
予約受信通知を受信したポイント情報管理サーバ４００は、ステップＳＳ２０において、上記選曲された有料カラオケ曲に対応した課金の額、すなわち減算すべきポイントの値（減算値）を決定し、ユーザＡのポイント残高と減算値とを比較し、ユーザＡのポイント残高の数値が減算値の数値よりも小さい値でなければ（減算値を減算した後のポイント残高が０(ゼロ）を下回らないならば）、当該課金額の承諾要求をネットワークＮＷ２，ＮＷ１を介してリモコン２００へ送信する。
【００６２】
上記課金の承諾要求を受信したリモコン２００は、表示部２０３に、対応する課金額（減算されるポイントの値）を表示する（図示省略）とともに、ユーザＡに対し、承諾するかどうかを促す。図６は、このようにして表示部２０３に表示された課金額承諾画面Ｇ２を表している。図示のように、この課金額承諾画面Ｇ２では、承諾の意志を表すためにユーザＡのユーザＩＤ及び課金パスワード（後述）をそれぞれ入力するためのＩＤ入力ボックスＢＸ２１及びパスワード入力ボックスＢＸ２２がそれぞれ表示される。ユーザＡは上記課金額を了承すると、適宜に操作部２０５を操作して、上記ＩＤ入力ボックスＢＸ２１に対しユーザＩＤの入力を行うとともに、パスワード入力ボックスＢＸ２２に対し課金のための課金パスワードの入力を行う。これにより、リモコン２００は、ステップＳＲ４０において、ユーザＡの当該課金パスワードをユーザＩＤと共に受け付ける。このパスワードは上記認証パスワードと同一でもよいし、別のものであってもよい。また、前述同様、アルファベットキーや仮名文字キーの操作入力でもよいし、リーダによる読み取りでもよい。リモコン２００は、この課金パスワードの入力に対応して、上記課金パスワードの認証要求を、ネットワークＮＷ１，ＮＷ２を介しポイント情報管理サーバ４００へ送信する。
【００６３】
ポイント情報管理サーバ４００は、ステップＳＳ３０において、上記課金パスワードの認証要求に含まれる課金パスワードが、上記同様のユーザ管理情報に含まれるユーザＩＤ及び課金パスワードの内容と、合致するかどうかを認証する。なお、前述と同様、リモコン２００からの課金パスワード認証要求を受けてカラオケ演奏部１００の制御部１０１が上記認証を行うようにしてもよい。
【００６４】
上記課金パスワード認証要求に含まれる課金パスワードが、予め登録されものと合致したらステップＳＳ３０の判定が満たされ、課金情報管理サーバ４００（又は通知を受けた歌唱情報管理サーバ３００でもよい）が、歌唱者特定要求をネットワークＮＷ２，ＮＷ１を介してリモコン２００へ送信する。
【００６５】
上記歌唱者特定要求を受信したリモコン２００は、その要求に基づき、表示部２０３に、歌唱者を特定（選択）すべき画面表示を表示する。図７は、このようにして表示部２０３に表示された歌唱者選択画面Ｇ３を表している。図示の例では、この時点で利用認証（ログイン）がなされている、ユーザＡを歌唱者として特定するためのボタンＢＴ３１と、ユーザＢを歌唱者として特定するためのボタンＢＴ３２とが表示されている。なお、ユーザＡ，Ｂのように予め各種情報をサーバ３００，４００に登録マイページを保有しているいわゆる登録ユーザ以外のユーザを、この歌唱者選択画面Ｇ３にて選択可能（例えば「ゲスト」ボタンを表示する等）としてもよい。
【００６６】
ユーザＢ（又はユーザＡ）は、上記歌唱者選択画面Ｇ３を見て、自らを歌唱者として特定させる（選択する）ために、ボタンＢＴ３２（又はボタンＢＴ３１）の操作を行う。これにより、リモコン２００は、ステップＳＲ４５において、上記ユーザＢ（又はユーザＡ）のボタンＢＴ２１（又はボタンＢＴ３１）の操作、すなわち歌唱者の特定操作を受け付ける。その後、リモコン２００は、ステップＳＲ４７において、ステップＳＲ４５において受け付けた、言い換えれば歌唱者として選択されたユーザが、マイページを表示しているユーザ（この例では、この時点では上記ステップＳＲ２０にてユーザＡのマイページを表示した状態である）と同一であるかどうかを判定する。既に説明したように、ユーザＢがユーザＡの保有するポイントを利用しつつ上記有料カラオケ曲を歌唱するために、ステップＳＲ４５でユーザＢが選択された場合には、ユーザＡのマイページ表示状態でユーザＢが選択されていることからステップＳＲ４７の判定が満たされず、ステップＳ４９に移る。
【００６７】
ステップＳＲ４９では、リモコン２００は、上記ステップＳＲ４５でのユーザＢの選択に対応して、表示部２０３の表示を一時的にユーザＢのマイページ（すなわち歌唱者のマイページ）に切り替え、表示部２０３に、ユーザＢの認証画面を表示する。図８は、このようにして表示部２０３に表示されたユーザ認証画面Ｇ４を表している。図示のように、このユーザ認証画面Ｇ４では、ユーザ認証を行うためのユーザＢのユーザＩＤ及び上記認証パスワードをそれぞれ入力するためのＩＤ入力ボックスＢＸ４１及びパスワード入力ボックスＢＸ２２がそれぞれ表示される。ユーザＢが、適宜に操作部２０５を操作して、上記ＩＤ入力ボックスＢＸ４１に対しユーザＩＤの入力を行うとともに、パスワード入力ボックスＢＸ４２に対しパスワードの入力を行う。これにより、リモコン２００は、ステップＳＲ５０において、ユーザＢの上記ユーザＩＤ（例えば２）及び認証パスワードの入力を受け付ける。この結果、ユーザＢは上記ステップＳＲ１０Ｂで利用認証（ログイン）済みなので、このステップＳＲ５０においていわば二重認証の操作を行うことなる。なお、この認証操作も、上記同様の操作入力若しくはリーダによる読み取りのいずれでもよい。なお、前述のステップＳＲ１０Ａ、ステップＳＲ１０Ｂ、及び上記ステップＳＲ５０が、各請求項記載の利用認証手段として機能する。
【００６８】
上記ユーザＢによる認証操作により、ユーザＢの認証要求がリモコン２００よりネットワークＮＷ１，ＮＷ２を介し歌唱情報管理サーバ３００へ送られる。歌唱情報管理サーバ３００は、ステップＳＳ４０において、前述と同様、上記認証要求に含まれるユーザＩＤ及びパスワードが、上記ユーザ管理情報に含まれるユーザＩＤ及びパスワードの内容と、合致するかどうかを認証する。なお、前述と同様、ユーザＢの認証要求を受けてカラオケ演奏部１００の制御部１０１が上記ユーザＢの認証を行うようにしてもよい。
【００６９】
上記認証要求に含まれるユーザＢのユーザＩＤ及びパスワードが、予め登録されものと合致したら上記ステップＳＳ４０の判定が満たされ、歌唱情報管理サーバ３００が、上記ユーザＢを認証した旨の認証通知をネットワークＮＷ２，ＮＷ１を介してリモコン２００へ送信する。
【００７０】
このようにしてユーザＢの認証が終了したことによって、上記課金承諾済みの有料カラオケ曲の歌唱者として、ユーザＢが確定したことになる。このユーザＢの認証の終了に対応して、リモコン２００は、前述の一時的なユーザＢのマイページの表示を終了し、ステップＳＲ６０で、表示部２０３の表示をユーザＡのマイページを表示する。図９は、このようにして表示部２０３に表示された画面の一例であり、この例では、図５の画面Ｇ１と同様の選曲画面Ｇ５に戻った例を表している。図５と同様、複数の楽曲（この例では楽曲１、楽曲２、楽曲３の３つ）を表すボタンＢＴ５１〜５３が表示されている。
【００７１】
なお、上記ステップＳＲ４７において、ユーザＡの保有するポイントを利用してユーザＡが自ら有料カラオケ曲を歌唱する場合には、ステップＳＲ４５でユーザＡが選択されるため、（ユーザＡのマイページ表示状態でユーザＡが選択されることから）ステップＳＲ４７の判定が満たされ、上述のステップＳＲ４９及びステップＳＲ５０がスキップされ、上記ステップＳＲ６０へ移行する。
【００７２】
そして、カラオケ演奏部１００は、先の順番で予約された他のカラオケ曲の演奏及び歌唱が終了し、ステップＳＫ１０において予約信号を受信済みの上記有料カラオケ曲の順番が来たら、ステップＳＫ２０の判定が満たされてステップＳＫ３０に移る。ステップＳＫ３０において、カラオケ演奏部１００は、上記有料カラオケ曲の演奏を開始する。すなわち、当該カラオケ曲に係わる演奏曲データを大容量記憶装置１０７から読み出し、再生部１０２で再生して音声出力部から出力を行う。上記有料カラオケ曲の歌唱を希望したユーザＢ（又は自ら歌唱を希望したユーザＡ）はこの演奏開始により、マイクを持って歌唱を楽しむことができる。
【００７３】
その後、上記有料カラオケ曲の演奏途中の予め定められた適宜のタイミングが到来したら、ステップＳＫ４０の判定が満たされ、カラオケ演奏部１００は、ネットワークＮＷ１，ＮＷ２を介して、ポイント情報管理サーバ４００に対し、課金タイミングが到来した旨の通知（課金の承諾通知）を行う。なおこのステップＳＫ４０が、各請求項記載の承諾通知手段として機能する。
【００７４】
上記通知を受けたポイント情報管理サーバ４００は、ステップＳＳ５０において、大容量記憶装置４０３に記憶された上記ポイント情報データベース４５０のユーザＡのポイント情報にアクセスし、当該ポイント情報データベース４５０のユーザＡのポイント値を更新する。すなわち、記憶されているユーザＡのポイント値（図３の例では１００ポイント）から、上記有料カラオケ曲に対応した分のポイント、例えば１０ポイントを減算する。この処理が各請求項記載の取引履歴更新手段として機能する。そして、減算した新たなユーザＡのポイント値を、大容量記憶装置４０３のポイント情報データベース４５０に格納する。この結果、ユーザＡのポイント残高は、図１０に示すように、上記１００ポイントから９０ポイントに減った形で更新される。この処理が各請求項記載の第１記憶制御手段として機能する。
【００７５】
その後、上記有料カラオケ曲の演奏が終了したら、ステップＳＫ５０の判定が満たされ、カラオケ演奏部１００は、ネットワークＮＷ１を介して、リモコン２００に有料カラオケ曲の演奏が終了した旨の通知を行う。
【００７６】
上記通知を受けたリモコン２００では、ステップＳＲ８０において、制御部２０１が、既に受信して一時的に記憶しているユーザＢの歌唱情報（図２の例では楽曲ＩＤ１６１の履歴が最終歌唱履歴となっている）に対し、上記有料カラオケ曲に対応した歌唱履歴を追加し、新たなユーザＢの歌唱情報とする。この結果、ユーザＢの歌唱履歴は上記有料カラオケ曲の分、１曲追加されることになる（後述の図１１参照）。この処理が、各請求項記載の歌唱情報更新手段として機能することとなる。なお、前述のようにユーザＡが上記有料カラオケ曲の歌唱を自ら行った場合には、ユーザＡの歌唱情報に対し上記有料カラオケ曲に対応した歌唱履歴を追加し、新たなユーザＡの歌唱情報とする。その後、リモコン２００は、上記歌唱履歴の追加処理に対応したユーザＢ（又はユーザＡ）の歌唱情報更新要求を、ネットワークＮＷ１，ＮＷ２を介し、歌唱情報管理サーバ３００へ送信する。この処理が、各請求項記載のユーザ情報送信手段として機能する。
【００７７】
上記歌唱情報更新要求を受けた歌唱情報管理サーバ３００は、ステップＳＳ６０において、大容量記憶装置３０３に記憶された上記歌唱情報データベース３５０のユーザＢの上記歌唱情報にアクセスし、当該歌唱情報データベース３５０のユーザＢの歌唱情報を更新する。前述の例に沿うと、図１１に示すように、ユーザＢの歌唱情報が、楽曲ＩＤ４５４Ｓの上記有料カラオケ曲を２０１０年３月１日１３：００に歌唱した旨の履歴が追加された状態に、更新される。なお、前述のようにユーザＡが上記有料カラオケ曲の歌唱を自ら行った場合には、ユーザＡの歌唱情報が更新される。なお、このステップＳＳ６０が、各請求項記載の第２記憶制御手段として機能する。
【００７８】
なお、上記図４のシーケンスは本発明を上記フローに示す手順に限定するものではなく、発明の趣旨及び技術的思想を逸脱しない範囲内で手順の追加・削除又は順番の変更等をしてもよい。
【００７９】
以上のように構成した本実施形態によれば、自己のポイント情報を使用できないユーザＢであっても、代わりにユーザＡの同意を得てユーザＡのポイント情報を用いることで、ユーザＢは有料カラオケ曲の歌唱を楽しむことができ、しかもその歌唱に伴う歌唱情報を、ユーザＢ自らに対して記録することができる。これにより、ユーザＢが楽しめるカラオケ曲の幅が拡がるので、ユーザＡ及びユーザＢへのサービス性を向上することができる。その際、ユーザＡのマイページを表示した状態においてユーザＢを歌唱者として選択すると当該ユーザＢのマイページに一時的に切り替わってユーザＢの利用認証を再度行う（二重認証する）ことにより、他のユーザによる無断なりすまし行為を確実に防止できる。また、複数のユーザどうしでお互いのポイント情報の一部を移動処理したり交換処理する場合のような、高度なセキュリティ確保を必要としないので、ホストサーバ５００の負担を大きく増大させることがない。
【００８０】
さらに、このように１人のユーザが他のユーザの承認を得ることで他のユーザのポイント情報を利用可能とすることにより、システム全体におけるポイント情報の活用が活発化するので、全ユーザによるサービス利用の活性化を促すこともできる。
【００８１】
また、以上既に述べた以外にも、上記実施形態や各変形例による手法を適宜組み合わせて利用しても良い。
【００８２】
その他、一々例示はしないが、本発明は、その趣旨を逸脱しない範囲内において、種々の変更が加えられて実施されるものである。
【符号の説明】
【００８３】
１                カラオケネットワークシステム
１００            カラオケ演奏部
２００            リモコン
２０３            表示部
２０５            操作部
３００            歌唱情報管理サーバ
４００            ポイント情報管理サーバ
５００            ホストサーバ
ＫＲ              カラオケ装置
【図１】
2011248258.tif 000003
【図２】
2011248258.tif 000004
【図３】
2011248258.tif 000005
【図４】
2011248258.tif 000006
【図５】
2011248258.tif 000007
【図６】
2011248258.tif 000008
【図７】
2011248258.tif 000009
【図８】
2011248258.tif 000010
【図９】
2011248258.tif 000011
【図１０】
2011248258.tif 000012
【図１１】
2011248258.tif 000013